(57)【特許請求の範囲】
【請求項１】
バルーンが接続されたバルーンカテーテルを取り付け、前記バルーンを膨張及び収縮させるＩＡＢＰ駆動装置であって、
前記バルーンを駆動するための圧力を発生させるポンプと、
前記ポンプに対して電力を供給する交流電源に接続される交流電源接続部と、
前記交流電源と切り替えて、前記ポンプに対して電力を供給可能なバッテリと、
前記ポンプ及び前記バッテリが備えられる筐体の内部に気流を形成する送風機と、
前記筐体の内部の温度を検出する温度検出部と、
前記送風機の動作を制御する制御部と、を有し、
前記送風機は、前記バッテリより前記ポンプの近くに配置されている第１送風機と、前記ポンプより前記バッテリの近くに配置されている第２送風機とを有しており、
前記温度検出部は、前記ポンプの温度を検出する第１温度検出部と、前記バッテリの温度を検出する第２温度検出部とを有しており、
前記制御部は、前記交流電源が前記ポンプに対して電力を供給する交流電源駆動状態では前記第１送風機および前記第２送風機を動作させるが、前記バッテリが前記ポンプに対して電力を供給するバッテリ駆動状態では、検出された前記ポンプの温度および前記バッテリの温度に基づいて、前記第１送風機および前記第２送風機のそれぞれを、動作させるか、動作させないか制御することを特徴とするＩＡＢＰ駆動装置。
【請求項２】
前記制御部は、前記バッテリ駆動状態において、前記ポンプの温度が第１の温度より低ければ前記第１送風機を動作させず、前記ポンプの温度が前記第１の温度以上であれば前記第１送風機を動作させ、また、前記バッテリの温度が第２の温度より低く、かつ前記ポンプの温度が前記第１の温度より高い第３の温度より低ければ、前記第２送風機を動作させず、前記バッテリの温度が前記第２の温度以上であるか、または前記ポンプの温度が前記第３の温度以上であれば前記第２送風機を動作させることを特徴とする請求項１に記載のＩＡＢＰ駆動装置。
【請求項３】
バルーンが接続されたバルーンカテーテルを取り付け、前記バルーンを膨張及び収縮させるＩＡＢＰ駆動装置において、制御部が、前記バルーンを駆動するための圧力を発生させるポンプと、前記ポンプに対して電力を供給するバッテリとが収納された筐体の内部に気流を形成する送風機の動作を制御する方法であって、
前記制御部が、前記ポンプの駆動状態が、前記筐体の外部の交流電源から前記ポンプに電力を供給する交流電源駆動状態であるか、前記バッテリから前記ポンプに電力を供給するバッテリ駆動状態であるかを検出するステップと、
温度検出部が、前記筐体の内部の温度を検出する検出ステップと、
前記制御部が、前記送風機の動作を制御する制御ステップと、を有し、
前記送風機は、前記バッテリより前記ポンプの近くに配置されている第１送風機と、前記ポンプより前記バッテリの近くに配置されている第２送風機とを有しており、
前記温度検出部は、前記ポンプの温度と、前記バッテリの温度とを検出し、
前記制御部は、前記交流電源駆動状態では前記第１送風機および前記第２送風機を動作させるが、前記バッテリ駆動状態では、検出された前記ポンプの温度および前記バッテリの温度に基づいて、前記第１送風機および前記第２送風機のそれぞれを、動作させるか、動作させないか制御することを特徴とするＩＡＢＰ駆動装置における送風機の動作制御方法。
【発明の詳細な説明】
【技術分野】
【０００１】
本発明は、ＩＡＢＰ（大動脈内バルーンポンピング）法においてバルーンカテーテルのバルーンを駆動するために用いられるＩＡＢＰ駆動装置及びＩＡＢＰ駆動装置における送風機の動作制御方法に関する。
【背景技術】
【０００２】
ＩＡＢＰ駆動装置は、交流電源に接続し、外部から継続的に電力を供給しながら使用するのが、一般的な使用態様である。しかし、ＩＡＢＰ駆動装置には、交流電源に接続できない状態であっても、一定時間バルーンを継続的に駆動できるように、バッテリを搭載しているものがある。このようなＩＡＢＰ駆動装置は、例えば患者を手術室から病室へ搬送する間もバッテリからの電力を用いてバルーンを継続的に駆動し、患者にＩＡＢＰ法を連続的に適用し続けることができる（特許文献１参照）。
【先行技術文献】
【特許文献】
【０００３】
【特許文献１】特開平９−２６６６３６号公報
【発明の概要】
【発明が解決しようとする課題】
【０００４】
しかし、従来のＩＡＢＰ駆動装置では、低温環境下でバッテリによる運転を行う場合、バッテリの放電容量が低下することにより、装置の連続駆動時間が短くなる問題があった。
【０００５】
本発明は、このような問題に鑑み、低温環境下においてバッテリ運転時の駆動時間を向上させ得るＩＡＢＰ駆動装置及びＩＡＢＰ駆動装置における送風機の動作制御方法に関する。
【課題を解決するための手段】
【０００６】
上記課題を解決するために、本発明に係るＩＡＢＰ駆動装置は、
バルーンが接続されたバルーンカテーテルを取り付け、前記バルーンを膨張及び収縮させるＩＡＢＰ駆動装置であって、
前記バルーンを駆動するための圧力を発生させるポンプと
前記ポンプに対して電力を供給する交流電源に接続される交流電源接続部と
前記交流電源と切り替えて、前記ポンプに対して電力を供給可能なバッテリと、
前記ポンプ及び前記バッテリが備えられる筐体の内部に気流を形成する送風機と、
前記筐体の内部の温度を検出する温度検出部と、
前記送風機の動作を制御する制御部と、を有し、
前記制御部は、前記温度検出部で検出された温度が所定の範囲にある場合、前記交流電源が前記ポンプに対して電力を供給する交流電源駆動状態では前記送風機を動作させるが、前記バッテリが前記ポンプに対して電力を供給するバッテリ駆動状態では前記送風機を動作させないことを特徴とする。
【０００７】
本発明に係るＩＡＢＰ駆動装置は、交流電源駆動状態とバッテリ駆動状態とで、装置に備えられる送風機の動作条件を変化させることにより、ＩＡＢＰ駆動装置の連続稼働時間を向上させることが可能である。すなわち、所定の温度範囲、特に比較的低温におけるバッテリ駆動状態では、送風機を動作させないことにより筐体内部の温度を許容範囲内で上昇させる。これにより、バッテリの温度を上昇させ、低温放電時に見られるバッテリの放電容量の低下を防止し、ＩＡＢＰ駆動装置のバッテリによる連続駆動時間を向上させることができる。一方、交流電源駆動状態では送風機を動作させて筐体内部の温度上昇を防ぐことにより、ポンプ等の温度上昇を防止できる。また、交流電源駆動状態では、交流電源からの電力を用いてバッテリの充電が行われる場合があるが、送風機を動作させてバッテリの温度上昇を防ぐことにより、適切な充電とバッテリ寿命の延長に資する。
【０００８】
また、例えば、前記送風機は、前記バッテリより前記ポンプの近くに配置されており、前記ポンプの駆動により生じた熱を前記筐体の外部に排出する第１送風機と、前記ポンプより前記バッテリの近くに配置されており、前記筐体の外部から内部へ空気を導入する第２送風機とを有してもよく、
前記温度検出部は、前記ポンプの温度を検出する第１温度検出部と、前記バッテリの温度を検出する第２温度検出部とを有してもよく、
前記制御部は、前記バッテリ駆動状態において、前記ポンプが第１の温度より低ければ前記第１送風機を動作させず、前記バッテリが第２の温度より低く、かつ前記ポンプが前記第３の温度より低ければ、前記第２送風機を動作させないように、前記送風機の動作を制御してもよい。
【０００９】
主としてポンプの熱を外部へ排出する第１送風機をポンプの近くに配置し、主に外部から内部へ空気を導入する第２送風機をバッテリの近くに配置することにより、このようなＩＡＢＰ駆動装置は、筐体内部の温度上昇を効果的に防止できる。また、ポンプの近くに配置された第１送風機についてはポンプの温度を用いて動作を制御し、バッテリの近くに配置された第２送風機については、ポンプとバッテリの両方の温度を用いて動作を制御することにより、ポンプが生じる熱でバッテリの温度を上昇させて放電容量の低下を防ぐ効果と、ポンプの過度な温度上昇を防止する効果とを、好適に両立させることができる。
【００１０】
また、本発明に係る送風機の動作制御方法は、
バルーンが接続されたバルーンカテーテルを取り付け、前記バルーンを膨張及び収縮させるＩＡＢＰ駆動装置において、前記バルーンを駆動するための圧力を発生させるポンプと、前記ポンプに対して電力を供給するバッテリとが収納された筐体の内部に気流を形成する送風機の動作を制御する方法であって、
前記ポンプの駆動状態が、前記筐体の外部の交流電源から前記ポンプに電力を供給する交流電源駆動状態であるか、前記バッテリから前記ポンプに電力を供給するバッテリ駆動状態であるかを検出するステップと、
前記筐体の内部の温度を検出する検出ステップと、
前記送風機の動作を制御する制御ステップと、を有し、
前記制御ステップにおいて、前記検出ステップで検出された温度が所定の範囲にある場合、前記交流電源駆動状態では前記送風機を動作させるが、前記バッテリ駆動状態では前記送風機を動作させないことを特徴とする。
【００１１】
このような制御方法によれば、バッテリ駆動状態では許容範囲でバッテリの温度を上昇させ、低温放電時に見られるバッテリの放電容量の低下を防止し、交流電源駆動状態ではバッテリの温度上昇を防ぐことにより、適切な充電とバッテリ寿命の延長に資する。
【図面の簡単な説明】
【００１２】
【図１】図１は、本発明の一実施形態に係るＩＡＢＰ駆動装置の概略構成図である。
【図２】図２は、図１に示すＩＡＢＰ駆動装置の外観図である。
【図３】図３は、図１に示すＩＡＢＰ駆動装置の筐体の内部おける各構成の配置を説明した概念図である。
【図４】図４は、図１に示す送風機の動作制御の一例を表すフローチャートである。
【図５】図５は、図４におけるバッテリ運転時の送風制御の一例を表すフローチャートである。
【図６】図６は、図４における交流電源運転時の送風制御の一例を表すフローチャートである。
【図７】図７は、バッテリが示す放電曲線の一例である。
【発明を実施するための形態】
【００１３】
以下、本発明に係るＩＡＢＰ駆動装置を、図面に示す実施形態に基づき、詳細に説明する。
【００１４】
図１は、本発明の一実施形態に係るＩＡＢＰ駆動装置１０の概略構成図である。ＩＡＢＰ駆動装置１０は、バルーン８２が接続されたＩＡＢＰ用バルーンカテーテル８０を取り付けて、バルーン８２を膨張及び収縮させるために用いられる駆動装置である。バルーンカテーテル８０は、ＩＡＢＰ駆動装置１０のカテーテル接続部（不図示）に取り付けて使用される。バルーンカテーテル８０の先端に接続されたバルーン８２は、下行大動脈内に留置されて使用される。ＩＡＢＰ駆動装置１０は、心臓の拍動に合わせてバルーン８２を膨張及び収縮させることにより、心臓の血液循環機能を補助することができる。
【００１５】
図１に示すように、ＩＡＢＰ駆動装置１０は、ポンプ３０と、交流電源接続部１６と、バッテリ１２と、送風機５０と、温度検出部４２と、表示部３６等を有する。ポンプ３０やバッテリ１２及び送風機５０等は、図３に示すように筐体１０ａの内部に収納されている。
【００１６】
ポンプ３０は、バルーン８２を駆動するための圧力を発生させる。ポンプ３０が発生させた圧力は、不図示の圧力タンク、電磁弁及び圧力伝達隔壁装置（アイソレータ）等を介してバルーン８２に伝えられる。ポンプ３０としては、ピストンタイプポンプ、ダイアフラムタイプポンプ等を採用可能であるが、ポンプのタイプは特に限定されない。
【００１７】
交流電源接続部１６は、ポンプ３０に対して電力を供給する交流電源に接続される。ポンプ３０の他に、バルーン８２の内圧等を表示する表示部３６や、送風機５０など、ＩＡＢＰ駆動装置１０に含まれる他の部分も、交流電源から電力を供給されて駆動される。
【００１８】
バッテリ１２は、交流電源と切り替えて、ポンプ３０等に対して電力を供給することが可能である。バッテリ１２は、筐体１０ａから着脱自在である第１バッテリ１２ａと、常時筐体１０ａに固定された状態で使用される第２バッテリ１２ｂとから構成される。
【００１９】
第２バッテリ１２ｂがポンプ３０等に対して電力を供給している間に、放電した第１バッテリ１２ａを、別途充電された第１バッテリ１２ａと交換することにより、ＩＡＢＰ駆動装置１０は、交流電源が使用できない環境でも、長時間の駆動が可能となる。
【００２０】
第１バッテリ１２ａと第２バッテリ１２ｂは、繰り返し充放電が可能な二次電池であり、ニッケル水素（ＮｉＭＨ）蓄電池、リチウムイオン（Ｌｉ・ＩＯＮ）蓄電池、ニッカド（ＮｉＣｄ）蓄電池等を採用可能であるが、二次電池の種類は特に限定されない。第１バッテリ１２ａ及び第２バッテリ１２ｂは、交流電源接続部１６を介してＩＡＢＰ駆動装置１０が交流電源に接続されると、筐体１０ａに取り付けられた状態で充電される。ただし、筐体１０ａに対して着脱可能な第１バッテリ１２ａは、ＩＡＢＰ駆動装置１０とは別途用意された充電器等を用いて充電することも可能である。
【００２１】
ＩＡＢＰ駆動装置１０の送風機５０は、第１送風機５２と第２送風機５４とを有している。第１送風機５２及び第２送風機５４は、例えば回転モータ及び回転モータの回転軸に取り付けられた羽等で構成され、筐体１０ａの内部に気流を形成する。第１送風機５２と第２送風機５４の配置等については後述する。
【００２２】
ＩＡＢＰ駆動装置１０は、第１温度検出部４２ａと第２温度検出部４２ｂで構成される２つの温度検出部４２を有している。第１温度検出部４２ａと第２温度検出部４２ｂは、例えば温度変化に応じて電気抵抗が変化するサーミスタ等で構成されるが、温度検出部のタイプについては特に限定されない。
【００２３】
第１温度検出部４２ａ及び第２温度検出部４２ｂは、いずれも筐体１０ａの内部の温度を検出する温度検出部４２であるが、第１温度検出部４２ａがポンプ３０の温度を検出するのに対して、第２温度検出部４２ｂはバッテリ１２の温度を検出する。第１温度検出部４２ａ及び第２温度検出部４２ｂで検出された温度は、電気信号として制御部２０に入力される。
【００２４】
制御部２０は、マイクロプロセッサやその他の電気回路等で構成され、筐体１０ａに備えられる各部の制御を行う。たとえば、制御部２０は、図示しない圧力伝達隔壁装置に接続する電磁弁の開閉を制御してバルーン８２の膨張・収縮タイミングを制御したり、表示部３６を制御してバルーン８２の内圧変動をグラフ形式で表示させたり、バルーン８２へのガスの供給を制御したりすることができる。なお、制御部２０によるバルーン８２の駆動方法については、任意の公知技術を採用すればよく、その詳細な説明については省略する。
【００２５】
また、制御部２０は、交流電源及びバッテリ１２とポンプ３０等の接続を制御することにより、交流電源がポンプ３０等に対して電力を供給する交流電源駆動状態と、バッテリ１２がポンプ３０等に対して電力を供給するバッテリ駆動状態とを切り替える。さらに、制御部２０は、第１温度検出部４２ａや第２温度検出部４２ｂで検出された温度等を用いて、送風機５０の動作を制御することができる。送風機５０の動作制御については、後ほど詳述する。
【００２６】
図２はＩＡＢＰ駆動装置の外観図であり、図３は筐体１０ａの内部における各部分の配置を表したものである。図３に示すように、筐体１０ａの上部には表示部３６が設けられている。ポンプ３０は筐体１０ａの下部中央に収納されており、ポンプ３０の前方には、第２バッテリ１２ｂと第１バッテリ１２ａとが配置されている。
【００２７】
第１バッテリ１２ａと第２バッテリ１２ｂは、筐体１０ａの下部前方に、前方からポンプ３０がある下部中央に向かって第１バッテリ１２ａ、第２バッテリ１２ｂの順に配置されている。図２に示すように、第１バッテリ１２ａは、筐体１０ａの前面に設けられた扉１１を開き、第１バッテリ１２ａを支持する可動支持板１３を傾けることにより、容易に筐体１０ａから引き出すことが可能である。
【００２８】
第１送風機５２は、図３に示すようにポンプ３０の側面に取り付けられた第１送風機５２ａと、ポンプ３０の前面に取り付けられ第２バッテリ１２ｂに対向する第１送風機５２ｂとで構成される。第１送風機５２ａ、５２ｂは、バッテリ１２よりポンプ３０の近くに配置され、ポンプ３０の駆動により生じた熱を、筐体１０ａの外部に排出する。第２送風機５４は、第１バッテリ１２ａと可動支持板１３の間である筐体１０ａ下部前方に配置されている。第２送風機５４は、ポンプ３０よりバッテリ１２の近くに配置されており、筐体１０ａの外部から筐体１０ａの内部へ空気を導入する。
【００２９】
第１送風機５２ａ、５２ｂと第２送風機５４とを両方とも動作させると、図２において矢印９０で示すような気流が形成される。すなわち、送風機５０により形成される気流は、筐体１０ａの前方から筐体１０ａの内部に導入され、第１バッテリ１２ａの周辺、第２バッテリ１２ｂの周辺、ポンプ３０の周辺の順に筐体１０ａの内部を通って、筐体１０ａの下部側方から排出される。第１送風機５２ａ、５２ｂと第２送風機５４とを両方とも動作させ、矢印９０で示されるような気流を形成することで、ＩＡＢＰ駆動装置１０は、バッテリ１２やポンプ３０の過度な温度上昇を、効果的に防止することができる。
【００３０】
以下、図４から図６を用いて、図１〜図３に示すＩＡＢＰ駆動装置１０における送風機５０の動作制御を、具体例を挙げて説明する。ただし、本発明は具体例に示される内容に限定されるものではない。
【００３１】
図４は、送風機５０の動作制御の一例を表すフローチャートである。図４のステップＳ００１では、図１に示す制御部２０が、図３に示す第１送風機５２ａ、５２ｂ及び第２送風機５４の動作制御を開始する。ステップＳ００１から始まる一連の制御は、例えばＩＡＢＰ駆動装置の電源が投入されたときや、ポンプ３０等での電力供給元が切り換えられたときや、ポンプ３０の駆動が開始されたときなどに開始される。
【００３２】
図４のステップＳ００２では、図１に示す制御部２０は、ＩＡＢＰ駆動装置１０が交流電源駆動状態であるか、バッテリ駆動状態であるかを判断する。ＩＡＢＰ駆動装置１０がバッテリ駆動状態である場合、ステップＳ００３へ進み、制御部２０はバッテリ駆動状態の送風機制御（図５参照）を行う。また、ＩＡＢＰ駆動装置１０が交流電源駆動状態である場合、ステップＳ００４へ進み、制御部２０は交流電源駆動状態の送風制御（図６参照）を行う。
【００３３】
図５は、図４のステップＳ００３で行われるバッテリ駆動状態の送風制御を表すフローチャートである。図４で説明したように、図５のステップＳ１０１から始まる一連の制御は、ＩＡＢＰ駆動装置１０がバッテリ駆動状態である場合に行われる。
【００３４】
図５のステップＳ１０２では、制御部２０が図３に示す第２送風機５４を停止する。制御部２０は、第２送風機５４が動作中であれば第２送風機５４を停止し、既に停止中であればそのまま停止状態を継続させる。
【００３５】
図５のステップＳ１０３では、制御部２０が、第１温度検出部４２ａで検出されるポンプ３０の温度が所定の第１の温度より低いか否かを判断する。ステップＳ１０３で用いられる第１の温度は、ポンプ３０及びバッテリ１２が第１の温度まで加熱された場合であっても、ポンプ３０及びバッテリ１２の寿命低下等の問題がほとんど生じない温度とすることが好ましく、たとえば３０℃〜５０℃の範囲における任意の温度とすることが好ましい。
【００３６】
ポンプ３０の温度が第１の温度以上であればステップＳ１０４へ進み、制御部２０は第１送風機５２ａ、５２ｂを動作させる。すなわち、ステップＳ１０４において、制御部２０は、第１送風機５２ａ、５２ｂが停止中であれば第１送風機５２ａ、５２ｂの動作を開始し、既に動作中であればそのまま動作を継続させる。
【００３７】
ポンプ３０の温度が第１の温度より低ければステップＳ１０５へ進み、制御部２０は第１送風機５２ａ、５２ｂを停止する。すなわち、ステップＳ１０５において、制御部２０は、第１送風機５２ａ、５２ｂが動作中であれば第１送風機５２ａ、５２ｂを停止し、既に停止中であればそのまま停止状態を継続させる。
【００３８】
図５のステップＳ１０６では、制御部２０が、第２温度検出部４２ｂで検出されるバッテリ１２の温度が所定の第２の温度より低いか否かを判断する。ステップＳ１０６で用いられる第２の温度は、バッテリ１２が第２の温度以上であれば低温での放電による放電容量低下を防止できる温度であることが好ましく、たとえば２０℃〜４０℃の範囲における任意の温度とすることが好ましい。また、第２の温度は、バッテリ１２をポンプ３０からの熱によって過度に加熱することがないように、第１の温度より低いことが好ましい。バッテリ１２の温度が第２の温度より低ければステップＳ１０７へ進み、バッテリ１２の温度が第２の温度以上であればステップＳ１０８へ進む。
【００３９】
ステップＳ１０７では、制御部２０が、第１温度検出部４２ａで検出されるポンプ３０の温度が所定の第３の温度より低いか否かを判断する。ステップＳ１０３で用いられる第３の温度は、第１の温度より高い温度とすることが好ましく、たとえば４０℃〜６０℃の範囲における任意の温度とすることが好ましい。ポンプ３０の温度が第３の温度より低ければステップＳ１０２へ進んでステップＳ１０２〜ステップＳ１０７の動作を繰り返し、ポンプ３０の温度が第３の温度以上であればステップＳ１０８へ進む。
【００４０】
バッテリ１２の温度が第２の温度以上であるか（ステップＳ１０６がＮＯ）、又はポンプ３０の温度が第３の温度以上であれば（ステップＳ１０７がＮＯ）、ステップＳ１０８へ進み、制御部２０は第２送風機５４を動作させる。すなわち、ステップＳ１０８において、制御部２０は、第２送風機５４が停止中であれば第２送風機５４の動作を開始し、既に動作中であればそのまま動作を継続させる。これに対して、バッテリ１２の温度が第２の温度より低く、かつポンプ３０が第３の温度より低ければ、ステップＳ１０２へ進むことにより、制御部２０は第２送風機５４を停止する。
【００４１】
図６は、図４のステップＳ００４で行われる交流電源駆動状態の送風制御を表すフローチャートである。図６のステップＳ２０１から始まる一連の制御は、ＩＡＢＰ駆動装置１０が交流電源駆動状態である場合に行われる。
【００４２】
図５のステップＳ２０２及びステップＳ２０３に示すように、ＩＡＢＰ駆動装置１０が交流電源駆動状態である場合、制御部２０は、第１送風機５２ａ、５２ｂと第２送風機５４の双方を、バッテリ１２及びポンプ３０の温度に関係なく動作させる。
【００４３】
図５と図６の比較から理解できるように、第１温度検出部４２ａで検出される温度が第１及び第３の温度より低く、かつ第２温度検出部４２ｂで検出される温度が第２の温度より低くなるような低温範囲である場合、制御部２０は、交流電源駆動状態では第１及び第２送風機５２、５４を動作させるが（図６参照）、バッテリ駆動状態では第１及び第２送風機５２、５４を動作させない（図５参照）。このようなＩＡＢＰ駆動装置１０は、低温におけるバッテリ駆動状態では第１及び第２送風機５２、５４を動作させないことにより、ポンプ３０で生じる熱を用いてバッテリ１２の温度を上昇させ、図７に示すような低温放電時に見られる放電容量の低下を防止する。
【００４４】
図７のグラフは、同一のバッテリ１２における４０℃における放電曲線６０（実線）と、０℃における放電曲線６２（破線）とを表している。たとえば、冬期に気温の低い場所でＩＡＢＰ駆動装置１０を使用する場合、第１及び第２送風機５２、５４を動作させてバッテリ駆動を実施すると、図７の放電曲線６２に見られるようなバッテリの容量低下が生じる場合がある。しかし、ＩＡＢＰ駆動装置１０では、ポンプ３０で生じる熱を用いてバッテリ１２の温度を上昇させることで放電容量の低下を防ぎ、低温環境におけるバッテリ駆動による連続駆動時間を向上させることができる。
【００４５】
さらに、ＩＡＢＰ駆動装置１０では、交換可能な第１バッテリ１２ａに関する低温での放電容量低下を防止できるので、低温での駆動において、第１バッテリ１２ａが想定を上回る電圧降下を生じる問題を防止できる。これにより、ＩＡＢＰ駆動装置１０では、第１バッテリ１２ａから第２バッテリ１２ｂへの電力供給元の切替が間に合わず、切替時にポンプ３０等への電力供給が中断してしまう問題を防止できる。また、第１及び第２送風機５２、５４の駆動をするための電力を節電できる点でも、電力消費量の点で有利である。
【００４６】
一方で、ＩＡＢＰ駆動装置１０は、低温における駆動であっても、交流電源駆動状態では第１及び第２送風機５２、５４を動作させることにより、充電時におけるバッテリ１２の温度上昇を防止して、発熱によるバッテリ１２の劣化を防止することができる。
【００４７】
また、ＩＡＢＰ駆動装置１０は、ポンプ３０の周りに設置された第１送風機５２ａ、５２ｂと、バッテリ１２の周りに設置された第２送風機５４とを動作させることにより、図２において矢印９０で示すような気流を形成し、筐体１０ａの内部の温度上昇を効果的に防止することができる。さらに、図５で示すように、第１送風機５２ａ、５２ｂについてはポンプ３０の温度を用いて動作を制御し、バッテリ１２の近くに配置された第２送風機５４については、ポンプ３０とバッテリ１２の両方の温度を用いて動作を制御することにより、ポンプ３０が生じる熱でバッテリ１２の温度を上昇させて放電容量の低下を防ぐ効果と、ポンプ３０の過度な温度上昇を防止する効果とを、好適に両立させることができる。
【００４８】
なお、ＩＡＢＰ駆動装置１０の具体的構成は、上述した実施形態になんら限定されない。例えば第１及び第２送風機５２、５４の数及び配置等は、ポンプ３０やバッテリ４４の大きさ等に応じて適宜調整すればよい。また、第１及び第２送風機５２、５４の制御方法も、実施形態及び具体例で示す態様に限定されず、様々な変形例を有している。例えば、バッテリ１２の温度を上昇させる方法としては、第１及び第２送風機５２、５４を停止させる方法だけでなく、第１及び第２送風機５２、５４の駆動を交流電源駆動状態と比較して弱める方法や、第１送風機５２ｂ（図３参照）によってポンプ３０からバッテリ１２へ向かう気流（交流電源駆動状態とは逆方向）を形成する方法も選択し得る。
【符号の説明】
【００４９】
１０…ＩＡＢＰ駆動装置
１０ａ…筐体
１２、１２ａ、１２ｂ…バッテリ
１６…交流電源接続部
２０…制御部
３０…ポンプ
４２…温度検出部
４２ａ…第１温度検出部
４２ｂ…第２温度検出部
５２、５２ａ、５２ｂ…第１送風機
５４…第２送風機
６０、６２…放電曲線
【図１】
0006572642.tif 000002
【図２】
0006572642.tif 000003
【図３】
0006572642.tif 000004
【図４】
0006572642.tif 000005
【図５】
0006572642.tif 000006
【図６】
0006572642.tif 000007
【図７】
0006572642.tif 000008